(57)【要約】【課題】  美観を損ねずかつ容易に設置でき、屋内の電気機器を制御可能な電気機器制御システムを提供する。【解決手段】  屋内モードでは、屋内コントローラ１１がモニター１２に制御画面を表示して操作機器１３からの制御指示を受信する。屋外モードでは、サーバ１７が、ユーザー端末２２に、ユーザーに対応する屋内設備１４〜１６の仮想制御画面を提供し、ユーザー端末２２から制御指示を受けて屋内コントローラ１１に送信する。そして、屋内コントローラ１１が、屋内モードまたは屋外モードで受信した制御指示を屋内電力配線２０を介して屋内設備１４〜１６に送信する。屋内設備１４〜１６は、受信した制御指示による機器制御を行う。【選択図】      図１
2006285736.tif 000002
【特許請求の範囲】
【請求項１】
通信ネットワークを介して屋内設備の制御を行う屋内設備制御システムであって、
屋内電力配線に接続され、該屋内電力配線にて通信が可能であり、該通信で受けた制御指示による機器制御を行う屋内設備と、
前記屋内電力配線、前記通信ネットワーク、および屋内のモニターと操作機器に接続可能であり、屋内モードでは、前記モニターに制御画面を表示して前記操作機器からの制御指示を受信し、屋外モードでは、前記通信ネットワークを介して制御指示を受信し、前記屋内モードまたは前記屋外モードで受信した前記制御指示を前記屋内設備に送信する屋内コントローラと、
前記屋内コントローラおよびユーザー端末と接続可能であり、接続した前記ユーザー端末に、該ユーザー端末のユーザーに対応する屋内設備の仮想制御画面を提供し、該ユーザー端末から制御指示を受けると、該制御指示を前記屋内コントローラに送信するサーバとを有する屋内設備制御システム。
【請求項２】
前記屋内設備は、該屋内設備内外の状態監視を行い、監視結果を通知情報として前記屋内コントローラに通知し、
前記屋内コントローラは、前記屋内設備からの前記通知情報を、前記屋内モードでは前記モニターに表示し、前記屋外モードでは前記サーバに送り、
前記サーバは、前記屋内コントローラから前記通知情報を受けると、該通知情報を前記ユーザー端末に通知する、請求項１記載の屋内設備制御システム。
【請求項３】
前記仮想制御画面は、前記屋内設備の操作を模擬する画面である、請求項１または２に記載の屋内設備制御システム。
【請求項４】
前記屋内設備は、前記屋内電力配線から電力の供給を受けて動作する電気機器であり、電力供給用の接続口から通信信号を分離して通信を行う、請求項１〜３のいずれか１項に記載の屋内設備制御システム。
【請求項５】
屋内設備の制御を行う屋内設備制御装置であって、
屋内電力配線に接続され、該屋内電力配線に接続された前記屋内設備との間で通信する電力モデムと、
通信ネットワークを介してサーバに接続可能であり、該ＷＥＢサーバとの間で通信する通信制御部と、
屋内モードでは、屋内のモニターに制御画面を表示して操作機器からの制御指示を受信し、屋外モードでは、前記通信制御部を用いて前記通信ネットワークを介して前記ＷＥＢサーバに接続し、前記サーバから制御指示を受信し、前記屋内モードまたは前記屋外モードで受信した前記制御指示を、前記電力モデムを用いて前記屋内設備に送信する機器制御部とを有する屋内設備制御装置。
【請求項６】
前記機器制御部は、前記屋内設備から前記電力モデムを介して通知情報を受けると、前記屋内モードでは該通知情報を前記モニターに表示し、前記屋外モードでは前記通信制御部を介して前記サーバに送信する、請求項５記載の屋内設備制御装置。
【請求項７】
通信ネットワークを介して屋内設備を制御する屋内設備制御システムにおいて遠隔に配置されたサーバ装置であって、
前記屋内設備と屋内電力配線で接続された屋内のコントローラと前記通信ネットワークを介して接続する通信制御部と、
制御対象の屋内設備をユーザーに対応させて予め記憶しておく屋内設備データベースと、
制御対象の屋内設備の仮想制御画面を発生させる仮想画像発生部と、
ユーザー端末と接続すると、該ユーザー端末のユーザーに対応する屋内設備を前記屋内設備データベースにより抽出し、該屋内設備の仮想制御画面を前記仮想画像発生部に発生させ、該仮想制御画面を前記ユーザー端末に提供し、該ユーザー端末から制御指示を受けると、該制御指示を前記通信制御部を介して前記屋内のコントローラに送信するバーチャルコントローラとを有するサーバ装置。
【請求項８】
バーチャルコントローラは、前記屋内設備から、前記屋内のコントローラ、前記通信ネットワーク、および前記通信制御部を介して通知情報を受信すると、該通知情報を前記ユーザー端末に通知する、請求項７記載のサーバ装置。
【請求項９】
前記仮想制御画面は、前記屋内設備の操作を模擬する画面である、請求項７または８に記載のサーバ装置。
【請求項１０】
通信ネットワークを介して屋内設備の制御を行うための屋内設備制御方法であって、
屋内電力配線を介して屋内設備と接続された屋内コントローラにて、屋内モードか屋外モードが判定するステップと、
前記屋内モードの場合、前記屋内コントローラにて、屋内のモニターに制御画面を表示して操作機器からの制御指示を受信するステップと、
前記屋外モードの場合、前記通信ネットワークを介して前記屋内コントローラと接続したサーバにて、ユーザー端末に仮想制御画面を提供して前記ユーザー端末から制御指示を受信し、該制御指示を前記屋内コントローラに送信するステップと、
前記屋内モードまたは前記屋外モードで受信した前記制御指示を前記屋内コントローラから前記屋内電力配線を介して前記屋内設備に送信するステップとを有する屋内設備制御方法。
【請求項１１】
前記屋内設備にて、状態監視を行い、監視結果を通知情報として前記屋内コントローラに通知するステップと、
前記屋内コントローラにて、前記屋内設備からの前記通知情報を、前記屋内モードでは前記モニターに表示し、前記屋外モードでは前記サーバに送り、前記サーバにて、前記屋内コントローラから前記通知情報を受けると、該通知情報を前記ユーザー端末に通知するステップとをさらに有する、請求項１０記載の屋内設備制御方法。
【請求項１２】
コンピュータに、屋内コントローラとして屋内設備の制御を行わせるための屋内設備制御プログラムであって、
屋内電力配線を介して屋内設備と接続された屋内コントローラにて、屋内モードか屋外モードが判定する手順と、
前記屋内モードの場合、屋内のモニターに制御画面を表示して操作機器からの制御指示を受信する手順と、
前記屋外モードの場合、前記通信ネットワークを介して接続したＷＥＢサーバより、ユーザー端末からの制御指示を受信する手順と、
前記屋内モードまたは前記屋外モードで受信した前記制御指示を前記屋内電力配線を介して前記屋内設備に送信する手順とをコンピュータに実行させるためのプログラム。
【請求項１３】
前記屋内設備から状態監視の結果である通知情報を受信し、前記屋内モードでは前記モニターに表示し、前記屋外モードでは前記サーバに送る手順をさらにコンピュータに実行させる、請求項１２記載のプログラム。
【発明の詳細な説明】
【技術分野】
【０００１】
本発明は、通信回線を介して屋内設備を制御するシステムに関する。
【背景技術】
【０００２】
住宅や事業所などの屋内では様々な電気機器が用いられる。各電気機器には操作スイッチが設けられたり、リモコンが付属されたりしており、操作者はそれらにより各電気機器を制御する。しかし、電気機器の種類や数が増えると、操作者は様々な操作スイッチやリモコンを操作しなければならず利便性が損なわれる。
【０００３】
このような不便を解消するために、従来、電気機器を制御装置に接続し、各電気機器の操作を統括するシステムが提案されている（例えば、特許文献１参照）。これによれば、操作者は容易に様々な電気機器を操作することができる。
【特許文献１】特開２００１−１４８８８９号公報
【発明の開示】
【発明が解決しようとする課題】
【０００４】
しかし、従来のシステムでは、制御装置と電気機器の間に専用の制御線が必要であった。例えば、家庭内の各電気機器を制御するために、その配線を行うと、屋内に多数の配線が敷設されることになり美観上、機器設置の容易性などで好ましくない。配線が増えれば配線工事コストも多額となる。また、電気機器の移動も容易で無くなる。
【０００５】
本発明の目的は、美観を損ねずかつ容易に設置でき、屋内の電気機器を制御可能な電気機器制御システムを提供することである。
【課題を解決するための手段】
【０００６】
上記目的を達成するために、本発明の屋内設備制御システムは、
通信ネットワークを介して屋内設備の制御を行う屋内設備制御システムであって、
屋内電力配線に接続され、該屋内電力配線にて通信が可能であり、該通信で受けた制御指示による機器制御を行う屋内設備と、
前記屋内電力配線、前記通信ネットワーク、および屋内のモニターと操作機器に接続可能であり、屋内モードでは、前記モニターに制御画面を表示して前記操作機器からの制御指示を受信し、屋外モードでは、前記通信ネットワークを介して制御指示を受信し、前記屋内モードまたは前記屋外モードで受信した前記制御指示を前記屋内設備に送信する屋内コントローラと、
前記屋内コントローラおよびユーザー端末と接続可能であり、接続した前記ユーザー端末に、該ユーザー端末のユーザーに対応する屋内設備の仮想制御画面を提供し、該ユーザー端末から制御指示を受けると、該制御指示を前記屋内コントローラに送信するサーバとを有している。
【０００７】
したがって、本発明によれば、屋内モードでは、屋内コントローラが、モニターに制御画面を表示して操作機器からの制御指示を受信し、屋外モードでは、サーバが、仮想制御画面を提供し、ユーザー端末から制御指示を受けて屋内コントローラに送信し、屋内コントローラが、制御指示を屋内電力配線を介して屋内設備に送信し、屋内設備が、その制御指示に従って制御を行うので、美観を損ねずかつ容易にシステムを設置可能であり、屋内設備を屋内および屋外から制御することができる。
【０００８】
また、前記屋内設備は、該屋内設備内外の状態監視を行い、監視結果を通知情報として前記屋内コントローラに通知し、
前記屋内コントローラは、前記屋内設備からの前記通知情報を、前記屋内モードでは前記モニターに表示し、前記屋外モードでは前記サーバに送り、
前記サーバは、前記屋内コントローラから前記通知情報を受けると、該通知情報を前記ユーザー端末に通知することとしてもよい。
【０００９】
これによれば、異常時の警報など、屋内設備の状態監視結果を屋内または屋外のユーザーに通知することができる。
【００１０】
また、前記仮想制御画面は、前記屋内設備の操作を模擬する画面であるとしてもよい。
【００１１】
これによれば、ユーザー端末のユーザーは、仮想制御画面を見て、あたかも室内で屋内設備を操作しているように直感的かつ容易に屋内設備の制御を行うことができる。
【００１２】
また、前記屋内設備は、前記屋内電力配線から電力の供給を受けて動作する電気機器であり、電力供給用の接続口から通信信号を分離して通信を行うこととしてもよい。
【００１３】
これによれば、電気機器に本来的に必要な電力供給用の接続以外に制御用の配線をする必要が無く、扱いが容易で美観上も良好である。
【発明の効果】
【００１４】
本発明によれば、屋内モードでは、屋内コントローラが、モニターに制御画面を表示して操作機器からの制御指示を受信し、屋外モードでは、サーバが、仮想制御画面を提供し、ユーザー端末から制御指示を受けて屋内コントローラに送信し、屋内コントローラが、制御指示を屋内電力配線を介して屋内設備に送信し、屋内設備が、その制御指示に従って制御を行うので、美観を損ねずかつ容易にシステムを設置可能であり、屋内設備を屋内および屋外から制御することができる。
【発明を実施するための最良の形態】
【００１５】
本発明を実施するための形態について図面を参照して詳細に説明する。
【００１６】
図１は、本実施形態の電気機器制御システムの構成を示すブロック図である。図１を参照すると、本実施形態の電気機器制御システムは、屋内コントローラ１１、モニター１２、リモートコントローラ１３、電気機器１４〜１６、およびＷＥＢサーバ１７を有している。
【００１７】
屋内コントローラ１１および電気機器１４〜１６の各々は電力モデムを内蔵しており、電力会社１８から電力ライン１９を介して電力が供給される屋内電力配線２０に接続されている。
【００１８】
画面表示を行うモニター１２は屋内コントローラ１１に接続されている。また、リモートコントローラ１３は赤外線などにより屋内コントローラ１１に制御信号を送信可能である。
【００１９】
屋内コントローラ１１は、インターネット２１を介してＷＥＢサーバ１７に接続可能である。また、ＷＥＢサーバ１７は、携帯電話やパーソナルコンピュータなどのユーザー端末２２からアクセス可能である。
【００２０】
図２は、屋内コントローラの構成を示すブロック図である。図２を参照すると、屋内コントローラ１１は、電力モデム３１、通信制御部３２、機器制御部３３、画面表示部３４、リモートコントローラ受信部３５、およびスピーカー３６を有している。
【００２１】
電力モデム３１は屋内電力配線２０を介した通信を可能にするモデムである。
【００２２】
通信制御部３２は、インターネット２１を介したＷＥＢサーバ１７との通信を行う。
【００２３】
機器制御部３３は、ユーザーによる制御指示に基づいて電気機器１４〜１６を制御する。機器の制御には屋内モードと屋外モードの２つのモードがある。屋内モードでは、ユーザーはモニター１２、リモートコントローラ１３、およびスピーカー３６を用いて制御を行う。また、屋外モードでは、ユーザーは、ユーザー端末２２を用いて制御を行う。
【００２４】
屋外モードでは、機器制御部３３は、通信制御部３２を用いてＷＥＢサーバ１７と接続し、ＷＥＢサーバ１７にアクセスしたユーザー端末２２からの制御指示に基づいて各電気機器１４〜１６を制御する。そのために、機器制御部３３は、電気機器１４〜１６から通知された通知情報をＷＥＢサーバ１７に送り、また、ＷＥＢサーバ１７からの制御指示を電気機器１４〜１６に伝える。通知情報には、電気機器１４〜１６に対する制御の結果や電気機器１４〜１６の状態を示す情報や警報などが含まれる。制御指示には、電気機器１４〜１６のオン／オフの指示や各種設定の指示などが含まれる。
【００２５】
屋内モードでは、機器制御部３３は、モニター１２に制御画面を表示し、リモートコントローラ１３からの制御指示に従って各電気機器１４〜１６を制御する。また、機器制御部３３は、電気機器１４〜１６から通知された通知情報や警報をモニター１２に表示し、あるいはスピーカー３６から発生させる。
【００２６】
画面表示部３４は、機器制御部３３の指示に基づきモニター１２に制御画面を表示させる。
【００２７】
リモートコントローラ受信部３５は、リモートコントローラ１３からの制御指示を受信し、機器制御部３３に通知する。
【００２８】
スピーカー３６は、機器制御部３３からの指示に従って音声を発生させる。
【００２９】
なお、一般には電気機器の種類によって制御項目が異なるが、屋内コントローラ１１による各電気機器１４〜１６に対する制御は、一例として、電気機器１４〜１６を製造したメーカーより提供される個別の制御プログラムを機器制御部３３にインストールすることにより可能となる。
【００３０】
図３は、本実施形態の電気機器の構成を示すブロック図である。電気機器１４〜１６は、エアコン、テレビ、洗濯機、炊飯器など様々な種類のものであるが本発明における基本的な構成は同じである。図３には電気機器１４の基本的な構成が示されている。図３を参照すると、電気機器１４は、電力モデム４１、制御部４２、およびセンサー４３を有している。
【００３１】
電力モデム４１は屋内電力配線２０を介した通信を可能にするモデムである。各電気機器１４〜１６には、個別のＭＡＣアドレス、または機器を特定する符号が格納されており、屋内コントローラ１１から特定可能となっている。
【００３２】
なお、電気機器１４は、屋内電力配線２０から電力の供給を受けて動作するものであり、電力モデム４１は、電力供給用の接続口（コンセント）から通信信号を分離して通信する構成が好ましい。これにより、電気機器１４は本来的に必要な電力供給用の接続以外に制御用の配線をする必要が無く、扱いが容易で美観上も良好である。
【００３３】
制御部４２は、屋内コントローラ１１からの制御指示に従って機器内の各種制御を行う。また、制御部４２は、自身で検出し、あるいはセンサー４３にて検知された警報などの機器状態を屋内コントローラ１１に通知する。制御部４２は、例えば、プロセッサがソフトウェアを実行することにより実現できる。
【００３４】
センサー４３は、機器内外の状態を監視しており、検知した機器状態を制御部４２に通知する。
【００３５】
図４は、本実施形態のＷＥＢサーバの構成を示すブロック図である。図４を参照すると、ＷＥＢサーバ１７は、バーチャルコントローラ５１、通信制御部５２、仮想画像発生部５３、および電気機器データベース５４を有している。
【００３６】
バーチャルコントローラ５１は、電気機器データベース５４にて、各ユーザーに対応して登録されている電気機器１４〜１６を制御対象として認識する。また、バーチャルコントローラ５１は、通信制御部５２によりインターネット２１経由で屋内コントローラ１１と接続し、屋内コントローラ１１との間で制御指示および通知情報を送受信することにより、屋外モード時における電気機器１４〜１６に対する監視および制御を行う。その際、バーチャルコントローラ５１は、ユーザー端末２２からのアクセスを受け、ユーザー端末２２からの制御指示を受信し、また屋内コントローラ１１からの通知情報をユーザー端末２２に通知する。また、バーチャルコントローラ５１は、ユーザーがユーザー端末２２から視覚的に制御および状態確認ができるように、仮想制御画面を仮想画面発生部５３に発生させる。仮想制御画面とは、電気機器の操作を仮想的に模擬する画面であり、ユーザー端末２２でこの画面の映像を見たユーザーが、あたかも室内にいて電気機器１４〜１６を操作しているように直感的かつ容易に制御できるものである。例えばエアコンであれば、エアコンの画像を親画面に、操作用画像を子画面に仮想的に表示することが考えられる。その場合、子画面には、エアコン用リモコンの液晶表示（室温や風量など）およびボタンが表示され、そこからリモコンと同様に操作可能なものが考えられる。
【００３７】
通信制御部５２は、インターネット２１を介した屋内コントローラ１１との通信を行う。
【００３８】
仮想画像発生部５３は、バーチャルコントローラ５１からの指示により、電気機器１４〜１６を制御するための仮想制御画面を発生し、ユーザー端末２２に表示させる。
【００３９】
電気機器データベース５４は、予め、各ユーザーに対応して制御対象の電気機器を登録している。
【００４０】
ユーザー端末２２は、ＷＥＢサーバ１７にアクセスし、仮想制御画面によりユーザーが各電気機器１４〜１６の状態確認および制御を行うことができるようにする。そのため、ユーザー端末２２は、ＷＥＢサーバ１７から提供される仮想制御画面を表示し、制御指示および通知情報をＷＥＢサーバ１７との間で送受信する。
【００４１】
図５は、屋内コントローラの動作を示すフローチャートである。図５を参照すると、屋内コントローラ１１は、まず屋外モードか否か判定する（ステップ１０１）。
【００４２】
屋外モードであれば、屋内コントローラ１１は、ＷＥＢサーバ１７に接続する（ステップ１０２）。ＷＥＢサーバ１７に接続すると、屋内コントローラ１１はＷＥＢサーバ１０３からの制御指示の受信を監視し（ステップ１０３）、制御指示を受けると、それを制御対象の電気機器に送る（ステップ１０４）。
【００４３】
また、ステップ１０１の判定にて屋外モードでなければ屋内モードなので、屋内コントローラ１１は、モニター１２に制御画面を表示する（ステップ１０５）。モニター１２の画面表示をみてリモートコントローラ１３からユーザーが制御操作を行うと、リモートコントローラ１３から屋内コントローラ１１に制御指示が送信される。
【００４４】
屋内コントローラ１１は、リモートコントローラ１３からの制御指示の受信を監視し（ステップ１０６）、制御指示を受けると、それを制御対象の電気機器に送る（ステップ１０７）。
【００４５】
図６は、本実施形態のＷＥＢサーバの動作を示すフローチャートである。図６を参照すると、ＷＥＢサーバ１７は、屋内コントローラ１１と接続する（ステップ２０１）。次に、ＷＥＢサーバ１７は、ユーザー端末２２からのアクセスを受けて接続する（ステップ２０２）。
【００４６】
屋内コントローラ１１およびユーザー端末２２と接続すると、ＷＥＢサーバ１７のバーチャルコントローラ５１は、電気機器データベース５４を検索し、ユーザー端末２２でアクセスしたユーザーに対応する電気機器１４〜１６を抽出する（ステップ２０３）。
【００４７】
そして、ＷＥＢサーバ１７は、制御対象の電気機器１４〜１６に関する仮想制御画面を仮想画面発生部５２により発生し、ユーザー端末２２への提供を開始する（ステップ２０４）。
【００４８】
そして、ＷＥＢサーバ１７は、ユーザー端末２２からの制御指示の受信を監視し（ステップ２０５）、制御指示を受けると、それを屋内コントローラ１１に送信する（ステップ２０６）。
【００４９】
なお、図５および図６は電気機器への制御に着目したフローチャートとなっているが、上述したように、本実施形態のシステムでは電気機器１４〜１６からの通知情報もある。この通知情報には警報等が含まれる。
【００５０】
本実施形態は、電気機器１４〜１６がセンサー４３等により状態の変化を検知すると、リアルタイムで屋内コントローラ１１に通知することとしてもよく、また屋内コントローラ１１からの問合せにより電気機器１４〜１６が通知情報を送信することとしてもよい。また、通知情報の種類などにより、それらの通知方法を使い分けてもよい。
【００５１】
以上説明したように、本実施形態の電気機器制御システムは、屋内モードでは、屋内コントローラが、モニター２０に制御画面を表示してリモートコントローラ１３からの制御指示を受信し、屋外モードでは、ＷＥＢサーバ１３が、仮想制御画面を提供し、ユーザー端末２２から制御指示を受けて屋内コントローラ１１に送信し、屋内コントローラ１１が、屋内モードまたは屋外モードで受信した制御指示を屋内電力配線２０を介して電気機器１４〜１６に送信し、電気機器１４〜１６が、その制御指示に従って機器制御を行うので、美観を損ねずかつ容易にシステムを設置でき、屋内の電気機器を屋内および屋外から制御することができる。
【００５２】
また、本実施形態では、電気機器１４〜１６は、状態監視の結果を通知情報として屋内コントローラ１１に通知し、屋内コントローラ１１は、その通知情報を、屋内モードではモニター１２に表示し、屋外モードではＷＥＢサーバ１７に送り、ＷＥＢサーバ１７は、その通知情報をユーザー端末２２に通知するので、異常時の警報など、屋内設備の状態監視結果を屋内または屋外のユーザーに通知することができる。
【００５３】
本実施形態では、制御対象として電気機器を例示したが、本発明はこれに限定されるものではない。屋内に配置される設備であれば屋内電力配線２０に接続可能な構成とできるので、本発明は屋内設備に広く適用可能である。電気機器以外の屋内設備としては、例えば、ロックの制御が可能なドア設備、開閉制御可能な水道設備あるいはガス設備などが考えられる。
【００５４】
外出時に、自宅の電気機器の状態確認や制御、ドアのロック、水道やガスの開閉の状態確認や制御ができ有用である。また、屋内においても、電気製品やドアロック、水道、ガスの開閉の状態確認や制御がリモートコントローラ１３で操作でき、身体障害者や高齢者には特に有用でなる。
【図面の簡単な説明】
【００５５】
【図１】本実施形態の電気機器制御システムの構成を示すブロック図である。
【図２】屋内コントローラの構成を示すブロック図である。
【図３】本実施形態の電気機器の構成を示すブロック図である。
【図４】本実施形態のＷＥＢサーバの構成を示すブロック図である。
【図５】屋内コントローラの動作を示すフローチャートである。
【図６】本実施形態のＷＥＢサーバの動作を示すフローチャートである。
【符号の説明】
【００５６】
１１    屋内コントローラ
１２    モニター
１３    リモートコントローラ
１４〜１６    電気機器
１７    ＷＥＢサーバ
１８    電力会社
１９    電力ライン
２０    屋内電力配線
２１    インターネット
２２    ユーザー端末
３１    電力モデム
３２    通信制御部
３３    機器制御部
３４    画面表示部
３５  リモートコントローラ受信部
３６    スピーカー
４１    電力モデム
４２    制御部
４３    センサー
５１    バーチャルコントローラ
５２    通信制御部
５３    仮想画像発生部
５４    電気機器データベース
１０１〜１０７、２０１〜２０６    ステップ
【図１】
2006285736.tif 000003
【図２】
2006285736.tif 000004
【図３】
2006285736.tif 000005
【図４】
2006285736.tif 000006
【図５】
2006285736.tif 000007
【図６】
2006285736.tif 000008